(57)【要約】  本発明は、酸素水および／または水素水製造機に関するものであって、水を電気分解して酸素／水素を発生させる酸素／水素発生器から発生する酸素を吸入または排出する流体ポンプを用いて水に供給して酸素水または水素水を製造する酸素水および／または水素水製造機を構成するが、携帯用生水ボトル内の生水を源水にして、簡便かつ迅速かつ効率的に携帯用生水ボトル内に直接高純度の酸素または水素の溶解している酸素水または水素水を生成することができるように構成して、このように生成された酸素水または水素水を飲用することにより、体内に新鮮な酸素を供給するのはもとより、体内に水素を供給して、人体に有害な活性酸素または活性炭素を除去して健康な生活を営むことができるようにしたものである。【選択図】図１
2019529106.tif 000002
【特許請求の範囲】
【請求項１】
水を電気分解して酸素水素を発生させる酸素／水素発生器（２２０）から発生する酸素または水素を吸入または排出する流体ポンプ（２１０）を用いて水に供給して酸素水または水素水を製造する酸素水および／または水素水製造機であって、
生水入りの携帯用生水ボトル（１０）の入口に、下方に長さの長いノズル（１１０）が備えられた生水ボトルキャップ（１００）を結合した状態で、前記生水ボトルキャップ（１００）を酸素／水素水機本体（２００）に設けられた生水ボトルキャップ締結部（２３０）に結合して固定するか或いは前記生水ボトルキャップ（１００）を生水ボトルキャップ締結部（２３０）に予め結合した状態で、前記生水ボトルキャップ（１００）に生水ボトル（１０）を結合した後、メインボード（２０１）に備えられた酸素水／水素水発生スイッチ（２０１ａ）をタッチしてターンオンすると、
流体ポンプ（２１０）が、携帯用生水ボトル（１０）の生水を、生水ボトルキャップ（１００）のノズル（１１０）に設けられた水吸入孔（１１２）を介して強制吸入して酸素／水素水機本体（２００）内へ移動させた後、電磁弁（２１１）を制御して、生水ボトルキャップ（１００）のノズル（１１０）に設けられた酸素／水素吐出孔（１１１）を介して携帯用生水ボトル（１０）内にさらに注入して生水を循環させ続け、前記生水循環の際に、酸素／水素発生器（２２０）に備えられた水位感知センサー（２２１）の水位感知信号による電磁弁（２１１）の選択的な制御によって、酸素／水素発生器（２２０）へ生水を随時供給しながら酸素／水素を持続的に発生させ、これを流体ポンプ（２１０）が強制吸入し、電磁弁（２１１）の制御によって、生水ボトルキャップ（１００）のノズル（１１０）に設けられた酸素／水素吐出孔（１１１）を介して酸素または水素を吐出させるように構成されることで、
携帯用生水ボトル（１０）内の生水を源水にして、水を電気分解して酸素または水素を発生させる酸素／水素発生器（２２０）が備えられた酸素／水素水機本体（２００）内へ移動させて酸素または水素を発生させ、これを携帯用生水ボトル（１０）内へ供給して携帯用生水ボトル（１０）内に直接酸素水または水素水が生成されるようになされることを特徴とする、酸素水および／または水素水製造機。
【請求項２】
前記酸素水および／または水素水製造機は、
携帯用生水ボトル（１０）の入口が結合される生水ボトル入口結合部（１０１）と、
酸素／水素吐出孔（１１１）および水吸入孔（１１２）を有する下方に長いノズル（１１０）とが形成された別途構成の生水ボトルキャップ（１００）；並びに
生水を電気分解して酸素／水素を発生させる酸素／水素発生器（２２０）と、
前記酸素／水素発生器（２２０）に連係設置されて水を強制吸入し、この生水を、酸素／水素発生器（２２０）に備えられた水位感知センサー（２２１）の水位感知信号によって電磁弁（２１１）を介して酸素／水素発生器（２２０）へ供給し、酸素供給時には酸素／水素発生器（２２０）の酸素排出口（２２０ａ）側に連結され、水素供給時には酸素／水素発生器（２２０）の水素排出口（２２０ｂ）側に連結され、酸素／水素発生器（２２０）からの酸素または水素を吸入して前記電磁弁（２１１）を介して水と一緒に酸素または水素を供給するようにした流体ポンプ（２０１）と、
本体前方の突出ヘッド（２００ａ）の底面に設けられ、流体ポンプ（２１０）から水と一緒に酸素または水素の供給を受けることができる酸素／水素供給流路（２３２ａ）および流体ポンプ（２１０）へ水を排出する水排出流路（２３２ｂ）が備えられた生水ボトルキャップ締結部（２３０）とを含む酸素／水素水機本体（２００）；を含んでなることを特徴とする、請求項１に記載の酸素水および／または水素水製造機。
【請求項３】
前記生水ボトルキャップ（１００）は、外縁の上部両側に締結突起（１０２）が設けられ、上部中央には酸素／水素供給流路（１２０ａ）および水排出流路（１２０ｂ）が備えられたシリコーン材質のノズルキャップ（１２０）が設けられ、
前記生水ボトルキャップ締結部（２３０）は、入口の内縁にキャップ締結溝（２３１）が設けられ、入口の上面には酸素／水素供給流路（２３２ａ）および水排出流路（２３２ｂ）が備えられたシリコーン材質のノズルキャップ密着具（２３２）が設けられて、
前記生水ボトルキャップ（１００）の締結突起（１０２）を生水ボトルキャップ締結部（２３０）のキャップ締結溝（２３１）に挿入して回転させると、生水ボトルキャップ（１００）が生水ボトルキャップ締結部（２３０）に結合されるとともに、前記ノズルキャップ（１２０）に設けられた酸素／水素供給流路（１２０ａ）および水排出流路（１２０ｂ）がノズルキャップ密着具（２３２）の酸素／水素供給流路（２３２ａ）および水排出流路（２３２ｂ）とそれぞれ連結されることにより連通し、水と酸素または水素の移動が可能となるように構成されることを特徴とする、請求項１または２に記載の酸素水および／または水素水製造機。
【請求項４】
前記携帯用生水ボトル（１０）が結合された生水ボトルキャップ（１００）の一側には、磁石（１３０）が設置され、
前記生水ボトルキャップ締結部（２３０）の上側に磁気センサー（２０２）が設置されるが、これがメインボード（２０１）に連係設置されて、
生水ボトルキャップ（１００）を生水ボトルキャップ締結部（２３０）に固定締結すると、磁気センサー（２０２）に磁石（１３０）が近接することを感知してメインボード（２０１）へ信号を送り、携帯用生水ボトル（１０）が酸素／水素水機本体（２００）に結合されたことをランプ点灯または信号音から確認することができるように構成されることを特徴とする、請求項１または２に記載の酸素水および／または水素水製造機。
【請求項５】
前記生水ボトルキャップ締結部（２３０）には、メインボード（２０１）に備えられたＬＥＤランプ（２０３）の光を投射することができる光投射孔（２３３）が設けられ、
前記生水ボトルキャップ（１００）には、導光板（１４０）が設置されて、
携帯用生水ボトル（１０）を酸素／水素水機本体（２００）に固定締結したときまたは酸素水／水素水の生成中には、ＬＥＤランプ（２０３）が点灯しながら発生した光が光投射孔（２３３）を介して導光板（１４０）へ伝達されて生水ボトルキャップ（１００）が光るようにされ、
携帯用生水ボトル（１０）を酸素／水素水機本体（２００）から分離するか或いは酸素水／水素水の生成が完了すると、ＬＥＤランプ（２０３）が消灯するようにされて、生水ボトルキャップ（１００）を介して機器の作動状態を外部から容易に確認することができるように構成されることを特徴とする、請求項１または２に記載の酸素水および／または水素水製造機。
【請求項６】
前記酸素／水素水機本体（２００）に、酸素／水素発生器（２２０）へ電源を供給するが＋／−電極を変えて電源を供給することができるアナログまたはデジタル方式の電極切替スイッチ（２０１ｂ）が酸素／水素発生器（２２０）と連係設置され、前記酸素／水素発生器（２２０）の水素排出口（２２０ｂ）側にもやはりカーボン材質のオゾン除去フィルタ（２２３）がさらに設置されて、
単一の機器を用いて酸素水または水素水を任意に選択して生成することができるようにするのはもとより、
電極切替スイッチ（２０１ｂ）を用いて＋／−電極を切り替えて酸素排出口（２２０ａ）から水素が排出されるようにし、水素排出口（２２０ｂ）からは酸素が排出されるように切り替える際に、酸素と一緒に発生するオゾン、および生水に含まれているカルシウム（Ｃａ）、マグネシウム（Ｍｇ）、ケイ素（Ｓｉ）を含む無機物質とオゾンとが結合されているオゾン化合物をオゾン除去フィルタ（２２３）が濾過するように構成されることを特徴とする、請求項１または２に記載の酸素水および／または水素水製造機。
【発明の詳細な説明】
【技術分野】
【０００１】
本発明は、酸素水および／または水素水製造機に関し、より詳細には、別途の水供給なしに、携帯用生水ボトルに入っている生水を源水として、これを強制循環させながら、酸素／水素発生器で電気分解して高純度の酸素または水素を発生させ、このように発生した酸素または水素を携帯用生水ボトルに充填して、酸素または水素の溶解している酸素水または水素水を簡便かつ容易に携帯用生水ボトルに込めて随時飲用することができるようにした酸素水および／または水素水製造機に関する。
【背景技術】
【０００２】
酸素は、呼吸によって体内に吸入され、血液によって人体の各器官に供給される。供給された酸素は、脳の活動と運動エネルギーに消費される。
【０００３】
生体内の酸素消費量は、各組織によって相当の差があり、脳と筋肉との酸素消費量を比較すると、脳の酸素消費量がより大きい。
【０００４】
全体の臓器、器官の中で最大の酸素消費者である脳は、その重量がわずか１．４Ｋｇであって体重の２％程度であるが、その酸素消費量は全身の約２５％に相当する。
【０００５】
脳は、筋肉とは異なり、酸素をある程度自身に貯蔵することが可能な「ミオグロビン」などの物質を持っていないため、供給された酸素を一瞬ですべて消費する。
【０００６】
呼吸している空気が無酸素状態になると、肺の血液によって必要な酸素分圧が起こらないので、その無酸素空気による一呼吸であっても意識喪失をもたらす危険がある。
【０００７】
酸素は、我々の身体において酸化作用をし、感染性の微生物と病原菌に抵抗する力を与える。酸素を体内の隅々の細胞まで絶え間なく送らなければ生きることができない。このような動きを起こすものが心臓と肺である。肺には左右に約７億の肺細胞（肺胞）があって血液に酸素を供給し、心臓のポンプ作用によって体の隅々まで血液を供給する。
【０００８】
ほとんどの現代人の血液は、運動不足や有害食品により酸性化され、コレステロールが血管に付着して血液の流れを妨げることによりすべての生活習慣病のもとになっているが、新鮮な酸素の供給によって、衰えた機能を効果的に回復させることができる。
【０００９】
上述したような酸素を多量に含有した水を製造する、いわゆる酸素水製造機の例としては、本出願人が登録権者である韓国特許出願第１０−２００３−００３４７５５号の「酸素水製造機」を挙げることができる。
【００１０】
前記酸素水製造機は、ＰＳＡ方式、メンブレン方式および平膜方式の３つの方法を用いる酸素発生装置によって酸素を発生させ、水に急速溶解させることにより酸素水を製造するものである。
【００１１】
しかし、上述したような従来の酸素製造機は、酸素を発生させる過程が複雑であり、流体ポンプが空気を吸入し圧縮させてノズルへ送るときに発生する湿気が前記ノズル内のゼオライトに作用して、酸素を発生させるときに酸素の純度を急激に低下させる。また、前記流体ポンプから発生する騒音や振動がむしろユーザーにストレスを与えたり睡眠を妨害したりすることがあり、内部に細菌が繁殖するおそれがあるなどの問題点があった。
【００１２】
また、近年、電気分解方式を用いた酸素製造装置が開発され、使用されているが、この装置は、アルカリ電解質溶液を用いるのでその取り扱いに注意を要し、安全性が問題となるという欠点があった。
【００１３】
かかる問題点を勘案して案出したものとして、本出願人が登録権者である韓国特許出願第１０−２００５−３１０９１号の「水を用いた酸素製造装置」があるが、この装置は、電解質、添加剤などを使用せずに水を電気分解して高純度の酸素を製造することにより、作動が簡単で、騒音が発生せず、アルカリなどの電解質を使用しないため安全で管理が容易であり、効率が高く、電力消費量が少なく、コンパクトな外形を持つように構成されたものである。
【００１４】
ところが、前述した発明の酸素水機と水を用いた酸素製造装置を利用した酸素水機、およびその他の各種の酸素発生装置を用いた酸素水機はいずれも、酸素を発生させるための源水となる水を供給するために、別途の体積が大きい水タンクを備えてこの水タンクに水を供給し続けるか、或いは大きい水桶を頻繁に交換しながら水を供給しなければならないのはもとより、水の補充のために随時残量を確認しなければならないなどの不便さが多かった。
【００１５】
また、別途の体積が大きい水タンクまたは水桶を連結して設置するために体積が大きくなり、構造が非常に複雑になって製造コストが増加するのはもとより、必要な水の供給が遮断されると全く使用できなくなるという重大な問題点があった。
【００１６】
その一方で、活性酸素の中でも人体に有害な酸素（攻撃力の強い酸素）は、紫外線にさらされると、体内に大量に発生する。
【００１７】
活性酸素のすべてが人体に有害なわけではない。活性酸素にはスーパーオキシド、過酸化水素、ヒドロキシルラジカルなどの種類があるが、酸化力の弱い活性酸素、たとえばスーパーオキシドや過酸化水素などは、人体に必要な活動をして、血管の拡張、神経伝達、精子の形成、癌の防御、免疫力の増強などの役割を果たす。
【００１８】
したがって、活性酸素をすべて除去すると、逆に人体にさまざまな支障を与えるので、酸化力が強くて人体に有害な活性酸素だけを選択的に除去する方法についての研究が持続しており、その研究されているものが水素水である。
【００１９】
水素は、人体に必要な酸化力の弱い活性酸素とは反応せず、細胞や遺伝子を攻撃する酸化力の強い悪い活性酸素といわれるヒドロキシルラジカルを選択的に還元することができるからである。
【００２０】
また、活性酸素以外にも、活性炭素が呼吸ストレス、食品添加物、飲酒、喫煙、激しい運動、紫外線などにより体内で不可欠に蓄積されるが、多量に蓄積される場合、酸化作用が特に強くて体内を酸化させることがあり、これが老化および病気の原因になるおそれがある。
【００２１】
水素水は、このような活性炭素を除去することもできる。水素が体内に入ると、炭素の作用により水素に分解され、原子水素は過剰炭素と結合して水に変換させることにより、過剰炭素を体外に排出することができるからである。
【００２２】
このように人体に有害な活性酸素と活性炭素を除去することができる水素発生器およびこれを用いた水素水機も、従来から多く案出されたが、それらも上記の酸素水機と同様の問題点を抱えていた。
【発明の概要】
【発明が解決しようとする課題】
【００２３】
本発明は、かかる諸問題点に鑑みて案出されたもので、その目的は、水を電気分解して酸素または水素を発生させる酸素／水素発生器（電解槽）から発生する酸素または水素を吸入または排出する流体ポンプを用いて水に供給して酸素水および／または水素水を製造する酸素水および／または水素水製造機を構成するが、別途の水供給なしに携帯用生水ボトル内の生水を源水にして、簡便かつ迅速かつ効率的に携帯用生水ボトル内に直接酸素水または水素水が生成されるようにすることができる、特殊な構成の酸素水および／または水素水製造機を提供して便利に使用しようすることにある。
【００２４】
また、本発明の他の目的は、酸素／水素水機本体２００に、酸素／水素発生器へ電源を供給する電源供給ラインに＋／−電極を変えて供給することが可能なアナログまたはデジタル方式の電極切替スイッチを連係設置することにより、単一の機器を用いて選択的に酸素水または水素水を生成することができるようにして、消費者が任意に選択して使用することができるようにすることにある。
【課題を解決するための手段】
【００２５】
上記目的を達成するための酸素水および／または水素水製造機は、基本的に、水を電気分解して酸素または水素を発生させる酸素／水素発生器から発生する酸素または水素を流体ポンプを用いて水に供給して酸素水または水素水を製造する酸素水および／または水素水製造機を構成するが、
生水入りの携帯用生水ボトルの入口に、下方に長さの長いノズルが備えられた生水ボトルキャップを結合した状態で、前記生水ボトルキャップを酸素／水素水機本体に設けられた生水ボトルキャップ締結部に結合して固定するか或いは前記生水ボトルキャップを生水ボトルキャップ締結部に予め結合した状態で、前記生水ボトルキャップに生水ボトルを結合した後、メインボードに備えられた酸素／水素水発生スイッチをターンオンすると、
流体ポンプが、生水ボトルの水を、生水ボトルキャップのノズルに設けられた水吸入孔を介して強制吸入して、電磁弁を用いて、ノズルに設けられた酸素／水素吐出孔を介して生水ボトル内にさらに注入して水を循環させ続けるように構成するとともに、
前記流体ポンプに吸入された水を水位感知センサーと電磁弁を用いて酸素／水素発生器へ随時供給しながら酸素または水素を発生させ、これを流体ポンプが強制吸入して、電磁弁を用いて、生水ボトルキャップのノズルに設けられた酸素／水素吐出孔を介して酸素または水素を吐出させるように構成されることで、
携帯用生水ボトル内の生水を源水にして生水ボトル内に直接酸素水または水素水が生成されるようになされることを特徴とする。
【発明の効果】
【００２６】
本発明の酸素水および／または水素水製造機は、小さい体積に製造することができながらも、何時でも手軽に携帯用生水ボトル内の生水を源水にして、携帯用生水ボトル内に、高純度の酸素または水素の溶解している酸素水または水素水を簡便かつ迅速かつ効率的に生成することができるという利点がある。
【００２７】
また、本発明は、酸素水および／または水素水製造機本体に、酸素／水素発生器へ電源を供給する電源供給ラインに＋／−電極を変えて供給することが可能なアナログまたはデジタル方式の電極切替スイッチを連係設置することにより、単一の機器を用いて選択的に酸素水または水素水を生成することができるので、使用の利便性がより一層極大化されるという利点がある。
【００２８】
したがって、本発明は、ユーザーが、必要に応じて、高純度の酸素および水素が溶解している酸素水または水素水を何時でも生成し、このように生成された酸素水または水素水を飲用することにより、体内に新鮮な酸素を供給するのはもとより、体内に水素を供給して、人体に有害な活性酸素または活性炭素を除去することにより、健康な生活を営むことができる非常に画期的な発明であることは明らかである。
【図面の簡単な説明】
【００２９】
【図１】本発明の酸素水／水素水機の一実施例に係る組立状態の斜視図である。
【図２】本発明の酸素水／水素水機の一実施例に係る一部分解状態の背面斜視図である。
【図３】本発明の酸素水／水素水機の一実施例に係る酸素／水素水機本体の内部構造を示す概略図である。
【図４】本発明の酸素水／水素水機の一実施例に係る生水ボトルキャップと酸素／水素水機本体の分解状態を上方から見た斜視図である。
【図５】本発明の酸素水／水素水機の一実施例に係る生水ボトルキャップと酸素／水素水機本体の分解状態を下方から見た斜視図である。
【図６】本発明の酸素水／水素水機の一実施例に係る酸素／水素水機本体に生水ボトルキャップを用いて携帯用生水ボトルを結合した状態を示す側断面図である。
【図７】図６の要部拡大断面図である。
【図８】本発明の酸素水および／または水素水製造機の他の実施例を示す図である。
【発明を実施するための形態】
【００３０】
以下、本発明の実施例を添付の図１乃至図８に基づいて詳細に説明する。これらの実施例は、本発明の理解を助けるために例示的に示したものであり、本発明は、ここで説明される実施例とは異なり多様に変形して実施できることが理解されるべきである。ただし、本発明を説明するにあたり、関連する公知の機能あるいは構成要素についての具体的な説明が本発明の要旨を不要に不明確にするおそれがあると判断された場合、その詳細な説明および具体的な図示を省略する。また、添付図面は、発明の理解を助けるために、実際の縮尺通りに図示されたものではなく、一部の構成要素の寸法が誇張されるように図示されることもある。
【００３１】
本発明の酸素／水素発生器を用いた酸素水および／または水素水製造機は、水を電気分解して酸素または水素を発生させる酸素／水素発生器２２０から発生する酸素または水素を流体ポンプ２１０に吸入した後、水へ供給して酸素水または水素水を製造する酸素水および／または水素水製造機を構成するが、
生水入りの携帯用生水ボトル１０の入口に、下方に長さの長いノズル１１０が備えられた生水ボトルキャップ１００を結合した状態で、前記生水ボトルキャップ１００を、酸素／水素水機本体２００に設けられた生水ボトルキャップ締結部２３０に結合して固定するか、或いは、前記生水ボトルキャップ１００を生水ボトルキャップ締結部２３０に予め結合した状態で前記生水ボトルキャップ１００に生水ボトル１０を結合した後、メインボード２０１に備えられた酸素水／水素水発生スイッチ２０１ａをタッチしてターンオンすると、
前記流体ポンプ２１０が、生水ボトル１０の生水を、生水ボトルキャップ１００のノズル１１０に設けられた水吸入孔１１２を介して強制吸入して、電磁弁２１１を制御して、生水ボトルキャップ１００のノズル１１０に設けられた酸素／水素吐出孔１１１を介して生水ボトル１０内にさらに注入して生水を循環させ続けるように構成するとともに、
前記生水循環の際に、酸素／水素発生器２２０に備えられた水位感知センサー２２１の水位感知信号による電磁弁２１１の選択的な制御によって酸素／水素発生器２２０へ生水を随時供給しながら、酸素または水素を持続的に発生させ、これを流体ポンプ２１０が強制吸入して電磁弁２１１の制御によって、生水ボトルキャップ１００のノズル１１０に設けられた酸素／水素吐出孔１１１を介して酸素または水素を吐出するように構成し、
前記携帯用生水ボトル１０内の生水を源水にして、この生水を、水を電気分解して酸素または水素を発生させる酸素／水素発生器２２０が備えられた酸素／水素水機本体２００内へ移動させて酸素または水素を発生させ、これを携帯用生水ボトル１０内に直接供給して携帯用生水ボトル１０内に直接酸素水または水素水が生成されるようになされる。
【００３２】
ここで、本発明は、前記酸素／水素水機本体２００に、酸素／水素発生器２２０へ電源を供給するが＋／−電極を変えて電源を供給することが可能な通常のアナログまたはデジタル方式の電極切替スイッチ２０１ｂを酸素／水素発生器２２０と連係設置し、
前記酸素／水素発生器２２０の水素排出口２２０ｂ側にもやはりカーボン材質のオゾン除去フィルタ２２３をさらに設置し、
単一の機器を用いて酸素水または水素水を勝手に選択して生成することができるようにするのはもとより、
電極切替スイッチ２０１ｂを用いて＋／−電極を切り替えて酸素排出口２２０ａから水素が排出されるようにし、水素排出口２２０ｂからは酸素が排出されるように切り替える際に、酸素と一緒に発生するオゾン、および生水に含まれているカルシウム（Ｃａ）、マグネシウム（Ｍｇ）、ケイ素（Ｓｉ）などの各種の有機、無機物質とオゾンとが結合されているオゾン化合物質をオゾン除去フィルタ２２３が安定的に濾過するようにすることもできる。
【００３３】
以下、本発明の一実施例をさらに詳細に説明する。
【００３４】
本発明の酸素／水素発生器を用いた酸素水および／または水素水製造機は、携帯用生水ボトルが結合される生水ボトルキャップ１００と、前記生水ボトルキャップ１００が締結される酸素／水素水機本体２００とから構成される。
【００３５】
すなわち、生水ボトル１０の入口が結合される生水ボトル入口結合部１０１と、
酸素／水素吐出孔１１１および水吸入孔１１２を有する、下方に長いノズル１１０とが形成された生水ボトルキャップ１００；並びに
生水を電気分解して酸素または水素を発生させる酸素／水素発生器２２０と、
前記酸素／水素発生器２２０に連係設置されて生水を強制吸入し、この生水を酸素／水素発生器２２０に備えられた水位感知センサー２２１の水位感知信号によって電磁弁２１１を介して酸素／水素発生器２２０へ供給するとともに、基本的に、酸素供給時には酸素／水素発生器２２０の酸素排出口２２０ａに連結され、水素供給時には水素排出口２２０ｂに連結され、酸素／水素発生器２２０からの酸素または水素を吸入して前記電磁弁２１１を介して水と一緒に酸素または水素を同時供給するようにした流体ポンプ２１０と、
前記本体の前方の突出ヘッド２００ａの底面に設けられ、流体ポンプ２１０から生水と一緒に酸素または水素の供給を受けることができる酸素／水素供給流路２３２ａ、および流体ポンプ２１０へ水を排出する水排出流路２３２ｂが備えられた生水ボトルキャップ締結部２３０とを含んで構成される酸素／水素水機本体２００；に分離構成される。
【００３６】
ここで、本発明において、前記携帯用生水ボトル１０が結合された生水ボトルキャップ１００は、外縁上部両側に締結突起１０２を設け、上部中央には酸素／水素供給流路１２０ａおよび水排出流路１２０ｂが備えられたシリコーン材質のノズルキャップ１２０を設け、
前記生水ボトルキャップ締結部２３０は、入口の内縁にキャップ締結溝２３１を設け、入口の上面にはやはり酸素／水素供給流路２３２ａおよび水排出流路２３２ｂが備えられたシリコーン材質のノズルキャップ密着具２３２を設けることで、
前記生水ボトルキャップ１００の締結突起１０２を生水ボトルキャップ締結部２３０のキャップ締結溝２３１に挿入して回転させると、生水ボトルキャップ１００が生水ボトルキャップ締結部２３０に結合されるとともに、前記ノズルキャップ１２０に設けられた酸素／水素供給流路１２０ａおよび水排出流路１２０ｂがノズルキャップ密着具２３２の酸素／水素供給流路２３２ａおよび水排出流路２３２ｂとそれぞれ連結されることにより連通し、生水と酸素／水素の移送が可能となるように構成される。
【００３７】
一方、本発明は、前記携帯用生水ボトル１０が結合された生水ボトルキャップ１００の一側には磁石１３０を設置し、
前記生水ボトルキャップ締結部２３０の上側に磁気センサー２０２を設置するが、これをメインボード２０１に連係設置して、
生水ボトルキャップ１００を生水ボトルキャップ締結部２３０に固定締結すると、磁気センサー２０２に磁石１３０が近接することを感知してメインボード２０１へ信号を送ることにより、生水ボトル１０が酸素／水素水機本体２００に結合されたことをランプ点灯または信号音から確認することができるように構成されてもよい。
【００３８】
また、本発明は、前記生水ボトルキャップ締結部２３０には、メインボード２０１に備えられたＬＥＤランプ２０３の光を投射することができる投射窓２３３ａが備えられた光投射孔２３３を設け、
前記生水ボトルキャップ１００には導光板１４０を設置して、
携帯用生水ボトル１０を酸素／水素水機本体２００に固定締結したときまたは酸素水生成中には、ＬＥＤランプ２０３が点灯しながら発生した光が光投射孔２３３を介して導光板１４０へ伝達されて生水ボトルキャップ１００が光るようにし、
携帯用生水ボトル１０を酸素／水素水機本体２００から分離するか或いは酸素水／水素水の生成が完了すると、ＬＥＤランプ２０３が消灯するようにして、生水ボトルキャップ１００を介して機器作動状態を外部から容易に確認することができるように構成されてもよい。
【００３９】
前記水位感知センサー２２１は、酸素発生器２２０内の水位を感知して生水が必要になると、これを感知し、電磁弁２１１の流体方向を転換させて生水を酸素／水素発生器２２０へ供給するもので、様々な形態のものを使用することができるが、本発明では、酸素／水素発生器２２０の体積をコンパクト化するためにフロートセンサー（ｆｌｏａｔ  ｓｅｎｓｏｒ）を使用した。
【００４０】
一方、前記未説明符号２２２は、カーボン材質のオゾン除去フィルタであって、生水の電気分解時に酸素と一緒に発生するオゾン、および生水に含まれているカルシウム（Ｃａ）、マグネシウム（Ｍｇ）、ケイ素（Ｓｉ）などの各種有機、無機物質とオゾンとが結合されたオゾン化合物質の供給を通孔（図示せず）を介して受け、一体に装着されたオゾン除去フィルタ２２２で濾過することにより、高純度の酸素を安定的に得ることができるようにしたのである。
【００４１】
一方、本発明は、添付の図８に示すように、酸素／水素水機本体２００に、酸素／水素発生器２２０へ電源を供給するが＋／−電極を切り替えることができる通常のアナログまたはデジタル方式の電極切替スイッチ２０１ｂを酸素／水素発生器２２０と連係設置し、
前記酸素／水素発生器２２０の水素排出口２２０ｂ側にもやはりカーボン材質のオゾン除去フィルタ２２３をさらに設置して、
単一の機器を用いて選択的に酸素水または水素水を生成することができるようにするのはもとより、
電極切替スイッチ２０１ｂを用いて＋／−電極を切り替えて酸素排出口２２０ａから水素が排出されるようにし、水素排出口２２０ｂからは酸素が排出されるように切り替えるときに、酸素と一緒に発生するオゾン、および生水に含まれているカルシウム（Ｃａ）、マグネシウム（Ｍｇ）、ケイ素（Ｓｉ）などの各種有機、無機物質とオゾンとが結合されたオゾン化合物質をオゾン除去フィルタ２２２と同様にオゾン除去フィルタ２２３が濾過して、高純度の酸素が安定的に得られるようにすることもできる。
【００４２】
以下、本発明の酸素水および／または水素水製造機の作動状態を説明する。
【００４３】
本発明の酸素水および／または水素水製造機を用いて酸素水または水素水を製造するためには、まず、生水入りの携帯用生水ボトル１０の入口に、生水ボトルキャップ１００に備えられた生水ボトル入口結合部１０１を螺合して生水ボトルキャップ１００を固定締結する。
【００４４】
このようにすれば、前記生水ボトルキャップ１００に下方に長く形成されたノズル１１０の下側が生水中に浸漬されながら、前記ノズル１１０の下側に備えられた酸素／水素吐出孔１１１と水吸入孔１１２も生水に浸漬される。
【００４５】
このような状態で、前記携帯用生水ボトル１０が結合された生水ボトルキャップ１００を、前記酸素／水素水機本体２００の突出ヘッド２００ａの底面に設けられた生水ボトルキャップ締結部２３０に固定締結しなければならないが、本発明には、一実施例として、前記生水ボトルキャップ１００の締結突起１０２を生水ボトルキャップ締結部２３０のキャップ締結溝２３１に挿入して回転させると、生水ボトルキャップ１００が生水ボトルキャップ締結部２３０に結合されるとともに、
前記生水ボトルキャップ１００の上部中央には、酸素／水素供給流路１２０ａおよび水排出流路１２０ｂを有するシリコーン材質のノズルキャップ１２０が備えられており、
前記生水ボトルキャップ締結部２３０の入口の上面には、酸素／水素供給流路２３２ａおよび水排出流路２３２ｂを有するシリコーン材質のノズルキャップ密着具２３２が備えられているので、これらのノズルキャップ密着具２３２の底面にノズルキャップ１２０の上面が緊密に密着しながら、自然に前記ノズルキャップ１２０に設けられた酸素／水素供給流路１２０ａおよび水排出流路１２０ｂがノズルキャップ密着具２３２の酸素／水素供給流路２３２ａおよび水排出流路２３２ｂとそれぞれ連結されることにより連通し、水と酸素の移動が可能となる。
【００４６】
一方、本発明は、前記生水ボトルキャップ１００を生水ボトルキャップ締結部２３０に予め結合した状態で、前記生水ボトルキャップ１００に生水ボトル１０を結合することもできるのはもちろんである。
【００４７】
上述した方法で携帯用生水ボトル１０を酸素／水素水機本体２００に連結設置して準備が完了すると、
前記メインボード２０１に備えられた酸素水／水素水発生スイッチ２０１ａをタッチしてターンオンすると、設定された数分間、機器が作動しながら携帯用生水ボトル１０に酸素水／水素水が生成される。
【００４８】
つまり、流体ポンプ２１０が携帯用生水ボトル１０の生水を生水ボトルキャップ１００のノズル１１０の水吸入孔１１２を介して強制吸入して酸素／水素水機本体２００内へ移動させた後、電磁弁２１１を制御して、生水ボトルキャップ１００のノズル１１０に設けられた酸素／水素吐出孔１１１を介して携帯用生水ボトル１０内へさらに注入して生水を循環させ続け、
前記生水循環の際に、酸素／水素発生器２２０に備えられた水位感知センサー２２１が水位を感知して、水が必要になると、これを感知し、電磁弁２１１の流体方向を転換させて、流体ポンプ２１０に吸入された生水が酸素／水素発生器２２０へ供給されながら酸素または水素を持続的に発生させ、これを流体ポンプ２０１が強制吸入し、電磁弁２１１の制御によって、生水ボトルキャップ１００のノズル１１０の酸素／水素吐出孔１１１を介して吐出させる。
【００４９】
したがって、生水ボトル１０内に酸素または水素が持続的に供給されて生水に溶解され、非常に簡単に携帯用生水ボトル１０内に直接酸素水または水素水が生成されるのである。
【００５０】
一方、本発明は、携帯用生水ボトル１０の装着状態および酸素／水素水製造機の作動状態をさまざまな方法で外部から容易に確認することができるように構成されてもよいが、本発明では、一実施例として、前記生水ボトルキャップ締結部２３０の上側に磁気センサー２０２を設置し、前記携帯用生水ボトル１０が結合された生水ボトルキャップ１００の一側には磁石１３０を設置することにより、生水ボトルキャップ１００を生水ボトルキャップ締結部２３０に固定締結すると、磁気センサー２０２に磁石１３０が近接することを感知してメインボード２０１へ信号を送り、携帯用生水ボトル１０が酸素／水素水機本体２００に結合されたことをランプ点灯または信号音から確認することができる。
【００５１】
また、本発明は、前記生水ボトルキャップ締結部２３０には、メインボード２０１に備えられたＬＥＤランプ２０３の光を投射することができる光投射孔２３３を設け、前記生水ボトルキャップ１００には導光板１４０を設置することにより、携帯用生水ボトル１０を酸素／水素水機本体２００に固定締結したときまたは酸素／水素水生成中には、ＬＥＤランプ２０３が点灯しながら発生した光が光投射孔２３３を介して導光板１４０へ伝達されて生水ボトルキャップ１００が光り、
生水ボトル１０を酸素／水素水機本体２００から分離するか或いは酸素水／水素水の生成が完了すると、ＬＥＤランプ２０３が消灯するので、生水ボトルキャップ１００を介して機器作動状態を外部から容易に確認することができて非常に便利である。
【００５２】
したがって、前記本発明の酸素水および／または水素水製造機を使用すると、いつでも手軽に携帯用生水ボトル１０内の生水を源水にして生水ボトル１０内に酸素水または水素水を簡便かつ迅速かつ完璧に生成することができるので、このように生成された酸素水または水素水を必要に応じて随時飲用することにより、健康な生活を営むことができる。
【００５３】
一方、図８に示すように、前記酸素／水素水機本体２００に、酸素／水素発生器２２０へ電源を供給するが＋／−電極を変えて電源を供給することができる通常のアナログまたはデジタル方式の電極切替スイッチ２０１ｂを酸素／水素発生器２２０と連係設置し、
前記酸素／水素発生器２２０の水素排出口２２０ｂ側にもやはりカーボン材質のオゾン除去フィルタ２２３をさらに設置すると、単一の機器を利用して酸素水または水素水を勝手に選択して生成することができるのはもとより、
電極切替スイッチ２０１ｂを用いて＋／−電極を切り替えて酸素排出口２２０ａから水素が排出されるようにし、水素排出口２２０ｂからは酸素が排出されるように切り替える際に、酸素と一緒に発生するオゾン、および生水に含まれているカルシウム（Ｃａ）、マグネシウム（Ｍｇ）、ケイ素（Ｓｉ）などの各種有機、無機物質とオゾンとが結合されているオゾン化合物質をオゾン除去フィルタ２２３が安定的に濾過するため、安心して便利に本発明の機器を使用することができる。
【００５４】
以上の如く、本発明は、限定された実施例と図面によって説明されたが、これらの実施例に限定されず、本発明の属する技術分野における通常の知識を有する者によって本発明の技術思想と特許請求の範囲の均等範囲内で多様な修正および変形可能であるのはもちろんである。
【産業上の利用可能性】
【００５５】
本発明の酸素水および／または水素水製造機は、小さい体積に製造することができながらも、何時でも手軽に携帯用生水ボトル内の生水を源水にして携帯用生水ボトル内に高純度の酸素または水素の溶解している酸素水または水素水を簡便かつ迅速かつ効率的に生成することができるという利点がある。
【００５６】
また、本発明は、酸素水および／または水素水製造機本体に、酸素／水素発生器へ電源を供給する電源供給ラインに＋／−電極を変えて供給することができるアナログまたはデジタル方式の電極切替スイッチを連係設置して、単一の機器を用いて選択的に酸素水または水素水を生成することができるので、使用の利便性がより一層極大化されるという利点がある。
【００５７】
したがって、本発明は、ユーザーが、必要に応じて、高純度の酸素および水素が溶解された酸素水または水素水を何時でも生成し、このように生成された酸素水または水素水を飲用することにより、体内に新鮮な酸素を供給するのはもとより、体内に水素を供給して、人体に有害な活性酸素や活性炭素を除去することにより、健康な生活を営むことができるもので、酸素水製造機や水素水製造機などだけでなく、酸素水または水素水を用いた飲用水分野または理容・美容分野で広く活用することができると期待される。
【図１】
2019529106.tif 000003
【図２】
2019529106.tif 000004
【図３】
2019529106.tif 000005
【図４】
2019529106.tif 000006
【図５】
2019529106.tif 000007
【図６】
2019529106.tif 000008
【図７】
2019529106.tif 000009
【図８】
2019529106.tif 000010
【国際調査報告】
2019529106.tif 000011
2019529106.tif 000012
2019529106.tif 000013
2019529106.tif 000014